(57)【要約】【課題】回路の増加を抑制する。【解決手段】点灯装置１０１は、発光素子１０２に可視光通信信号ＶＣによって変調された電流を供給する点灯装置１０１であって、発光素子１０２に直流の電圧Ｖ１を供給する直流電源回路１１１と、発光素子１０２に直列に接続された電流制御素子Ｑ１を備え、可視光通信信号ＶＣに基づき電流制御素子Ｑ１をを、インピーダンスが互いに異なる第１状態と第２状態との間で切り替え、電流制御素子Ｑ１を制御することで、電流制御素子Ｑ１が第１状態の時間区間において発光素子１０２に流れる電流ＩＤを定電流指令信号ＶＳＨに応じた定電流値ＩＤＨに調整する電流制御回路１１２とを備える。【選択図】図２
2018125104.tif 000002
【特許請求の範囲】
【請求項１】
発光素子に可視光通信信号によって変調された電流を供給する点灯装置であって、
前記発光素子に直流の第１電圧を供給する直流電源回路と、 
前記発光素子に直列に接続された電流制御素子を備え、前記可視光通信信号に基づき前記電流制御素子を、インピーダンスが互いに異なる第１状態と第２状態との間で切り替え、前記電流制御素子を制御することで、前記電流制御素子が第１状態の時間区間において前記発光素子に流れる電流を定電流指令信号に応じた定電流値に調整する電流制御回路とを備える
点灯装置。
【請求項２】
前記電流の平均電流値が略一定となるように前記可視光通信信号が生成される
請求項１記載の点灯装置。
【請求項３】
前記点灯装置は、さらに、
前記可視光通信信号に基づくタイミングでハイレベルとローレベルとが切り替わり、前記定電流指令信号に応じたハイレベルの電圧値を有する制御信号を生成する信号生成回路を備え、
前記電流制御回路は、前記制御信号に応じて前記電流制御素子を制御する
請求項１又は２記載の点灯装置。
【請求項４】
前記電流制御回路は、 
前記電流制御素子に流れる電流を検出するための電流検出素子と、 
前記電流検出素子によって検出された電流信号と前記制御信号との差を増幅する増幅器とを備え、 
前記増幅器の出力信号に応じて前記電流制御素子に流れる電流が調整される
請求項３記載の点灯装置。
【請求項５】
前記電流制御素子はトランジスタであり、
前記電流検出素子は、前記トランジスタと直列に接続され、
前記増幅器の反転入力端子は、前記電流検出素子と前記トランジスタとの接続点に接続され、
前記増幅器の非反転入力端子には、前記制御信号が供給され、
前記増幅器の出力端子は、前記電流制御素子の制御端子に接続される
請求項４記載の点灯装置。
【請求項６】
前記信号生成回路は、調光信号に基づき前記制御信号のハイレベルの電圧値を変更する
請求項３〜５のいずれか１項に記載の点灯装置。
【請求項７】
前記直流電源回路は、前記発光素子と前記電流制御素子との接続点の第２電圧が一定値になるように前記第１電圧を出力する
請求項１〜６のいずれか１項に記載の点灯装置。
【請求項８】
前記電流制御回路は、 
前記電流制御素子に流れる電流を検出するための電流検出素子と、 
前記電流検出素子によって検出された電流信号に前記可視光通信信号が重畳された信号と、前記定電流指令信号との差を増幅する増幅器とを備え、 
前記増幅器の出力信号に応じて前記電流制御素子に流れる電流が調整される
請求項１又は２記載の点灯装置。
【請求項９】
請求項１〜８のいずれか１項に記載の点灯装置を備える
照明器具。
【請求項１０】
請求項１〜８のいずれか１項に記載の点灯装置を備える
看板。
【発明の詳細な説明】
【技術分野】
【０００１】
本発明は、点灯装置、照明器具及び看板に関し、特に、発光素子に可視光通信信号によって変調された電流を供給する点灯装置に関する。
【背景技術】
【０００２】
特許文献１には、定電流回路を用いた点灯装置及び照明器具が開示されている。一方で、可視光通信に対応した点灯装置及び照明器具が検討されている。
【先行技術文献】
【特許文献】
【０００３】
【特許文献１】特開２０１６−１００１６４号公報
【発明の概要】
【発明が解決しようとする課題】
【０００４】
このような点灯装置及び照明器具では、可視光通信に対応するための回路の増加を抑制できることが望まれている。
【０００５】
そこで、本発明は、回路の増加を抑制できる点灯装置、照明器具又は看板を提供することを目的とする。
【課題を解決するための手段】
【０００６】
本発明の一態様に係る点灯装置は、発光素子に可視光通信信号によって変調された電流を供給する点灯装置であって、前記発光素子に直流の第１電圧を供給する直流電源回路と、前記発光素子に直列に接続された電流制御素子を備え、前記可視光通信信号に基づき前記電流制御素子を、インピーダンスが互いに異なる第１状態と第２状態との間で切り替え、前記電流制御素子を制御することで、前記電流制御素子が第１状態の時間区間において前記発光素子に流れる電流を定電流指令信号に応じた定電流値に調整する電流制御回路とを備える。
【発明の効果】
【０００７】
本発明は、回路の増加を抑制できる点灯装置、照明器具又は看板を提供できる。
【図面の簡単な説明】
【０００８】
【図１】図１は、実施の形態１に係る照明器具の構成例を示す図である。
【図２】図２は、実施の形態１に係る点灯装置の構成を示す図である。
【図３】図３は、実施の形態１に係る照明器具の動作を示すタイミングチャートである。
【図４】図４は、実施の形態１に係る可視光通信信号の変調方式の一例を示す図である。
【図５】図５は、実施の形態１に係る信号生成回路の構成例を示す図である。
【図６】図６は、実施の形態１に係る直流電源回路の構成例を示す図である。
【図７】図７は、実施の形態１に係る照明器具の動作を示すタイミングチャートである。
【図８】図８は、実施の形態１に係る直流電源回路の変形例の構成を示す図である。
【図９】図９は、実施の形態２に係る点灯装置の構成を示す図である。
【図１０】図１０は、実施の形態３に係る照明器具の外観を示す模式図である。
【図１１】図１１は、実施の形態３に係る照明器具の外観を示す模式図である。
【図１２】図１２は、実施の形態３に係る看板の外観を示す模式図である。
【発明を実施するための形態】
【０００９】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態１）
［照明器具の構成］
まず、本実施の形態に係る照明器具１００の構成を説明する。図１は、本実施の形態に係る照明器具１００の構成を示す図である。図１に示すように、照明器具１００は、点灯装置１０１と、発光素子１０２とを備える。
【００１２】
発光素子１０２は、固体発光素子であり、例えば、ＬＥＤ（Ｌｉｇｈｔ  Ｅｍｉｔｔｉｎｇ  Ｄｉｏｄｅ）である。なお、図１では、端子Ｔ１と端子Ｔ２との間に一つの発光素子１０２のみが接続されているが、複数の発光素子１０２が直列又は並列に接続されてもよい。
【００１３】
点灯装置１０１は、発光素子１０２に可視光通信信号によって変調された電流を供給する。この点灯装置１０１は、直流電源回路１１１と、電流制御回路１１２と、信号生成回路１１３とを備える。
【００１４】
直流電源回路１１１は、発光素子１０２に略一定の直流の電圧Ｖ１（第１電圧）又は電流を供給する。例えば、直流電源回路１１１は、商用電源から供給される交流電力を直流電力に変換し、得られた直流電力を用いて、一定電圧を出力する回路であり、例えば、ＡＣ／ＤＣコンバータ及びＤＣ／ＤＣコンバータを含む。
【００１５】
電流制御回路１１２は、発光素子１０２に流れる電流ＩＤを一定値に調整する。信号生成回路１１３は、制御信号ＶＳを生成し、生成した制御信号ＶＳを電流制御回路１１２に供給する。
【００１６】
［点灯装置の構成及び動作］
図２は、点灯装置１０１の構成例を示す図である。電流制御回路１１２は、発光素子１０２に流れる電流ＩＤを、制御信号ＶＳの電圧値に応じた一定の電流値に制御する。この電流制御回路１１２は、電流制御素子Ｑ１と、増幅器Ｕ１と、抵抗ＲＳ及びＲ１と、容量Ｃ１及びＣ２とを備える。
【００１７】
電流制御素子Ｑ１は、例えば、ＭＯＳトランジスタ等のスイッチであり、端子Ｔ２を介して発光素子１０２と直列に接続される。また、電流制御素子Ｑ１は、発光素子１０２に流れる電流ＩＤを調整するために用いられる。この電流制御素子Ｑ１は飽和領域で動作し、ゲート電圧Ｖｇｓに応じて電流ＩＤが制御される。
【００１８】
なお、電流ＩＤは、発光素子１０２、電流制御素子Ｑ１及び抵抗ＲＳに流れる電流であり、直流電源回路１１１の出力電流でもある。
【００１９】
抵抗ＲＳは、発光素子１０２及び電流制御素子Ｑに流れる電流ＩＤを検出するための電流検出素子であり、電流制御素子Ｑ１と直列に接続される。
【００２０】
増幅器Ｕ１は、例えば、オペアンプ（誤差増幅器）であり、抵抗ＲＳによって検出された電流信号Ｖ３と制御信号ＶＳとの差を増幅する。具体的には、増幅器Ｕ１の反転入力端子は、抵抗Ｒ１を介して、抵抗ＲＳと電流制御素子Ｑ１との接続点に接続される。増幅器Ｕ１の非反転入力端子には、制御信号ＶＳが供給される。増幅器Ｕ１の出力端子は、電流制御素子Ｑ１の制御端子であるゲート端子に接続される。これにより、増幅器Ｕ１の出力信号に応じて電流制御素子Ｑ１に流れる電流が調整される。
【００２１】
図３は、制御信号ＶＳと電流ＩＤとを示す図である。制御信号ＶＳは、可視光通信信号に基づくタイミングでハイレベルとローレベルとが切り替わり、定電流指令信号に応じたハイレベルの電圧値ＶＳＨを有する。ここで、定電流指令信号とは、発光素子１０２に流れる定電流の値に対応する信号であり、言い換えると、電流制御素子Ｑ１により調整される定電流値に対応する信号である。つまり、制御信号ＶＳは、定電流指令信号に可視光通信信号が重畳された信号である。
【００２２】
ここで、電流ＩＤがネガティブフィードバックされることで、増幅器Ｕ１の非反転入力端子の電圧と、反転入力端子の電圧とが等しくなるように電圧ＶＧＳが制御される。つまり、ＶＳ＝ＩＤ×ＲＳが成り立つように制御されるため，電流ＩＤはＩＤ＝ＶＳ／ＲＳとなる。また、制御信号ＶＳには可視光通信信号が重畳されているため、図３に示すように、電流ＩＤも制御信号ＶＳと同じように変調される。これにより、発光素子１０２から照射される光に可視光通信信号が重畳される。
【００２３】
このように、電流制御回路１１２は、制御信号ＶＳに応じて電流制御素子Ｑ１を制御する。具体的には、電流制御回路１１２は、可視光通信信号ＶＣに基づき電流制御素子Ｑ１をオン及びオフし、電流制御素子Ｑ１を制御することで、電流制御素子Ｑ１がオンしている時間区間において発光素子１０２に流れる電流ＩＤを定電流指令信号ＶＳＨに応じた定電流値ＩＤＨに調整する。
【００２４】
なお、図３では、制御信号ＶＳのローレベルの電圧値ＶＳＬがゼロであり、その時の電流値ＩＤＬがゼロである例を示しているが、電圧値ＶＳＬ及び電流値ＩＤＬはゼロでなくてもよい。つまり、電流制御回路１１２は、可視光通信信号ＶＣに基づき電流制御素子Ｑ１を、インピーダンスが互いに異なる第１状態と第２状態との間で切り替え、電流制御素子Ｑ１を制御することで、電流制御素子Ｑ１の第１状態の時間区間において発光素子１０２に流れる電流ＩＤを定電流指令信号ＶＳＨに応じた定電流値ＩＤＨに調整してもよい。ここで、第１状態は、第２状態よりインピーダンスが低く、第２状態より電流が多く流れる状態である。
【００２５】
また、抵抗Ｒ１、容量Ｃ１及びＣ２は、増幅器Ｕ１の発振を防ぎ、フィードバックループの安定度を向上させるための位相補償要素である。よって、これらの素子の代わりに、抵抗及び容量などのインピーダンス要素を直並列などに組み合わせた回路が用いられてもよい。また、抵抗Ｒ１、容量Ｃ１及びＣ２の少なくとも一つが電流制御回路１１２に含まれなくてもよい。
【００２６】
このように、本実施の形態に係る点灯装置１０１では、定電流制御のための電流制御素子Ｑ１を用いて、可視光通信信号を重畳するためのスイッチング制御を行う。言い換えると、定電流制御のための電流制御素子Ｑ１が、可視光通信信号の重畳のために流用される。これにより、新たに可視光通信信号の重畳のためにスイッチング素子等を追加する場合に比べ、回路の増加を抑制できる。
【００２７】
また、本実施の形態では、電流ＩＤの平均電流値が一定となるように可視光通信信号が生成される。具体的には、ビット列の変化による光出力の変化を抑制するために、可視光通信信号にはＮ（２以上の整数）値のパルス位置変調（ＰＰＭ：Ｐｕｌｓｅ  Ｐｏｓｉｔｉｏｎ  Ｍｏｄｕｌａｔｉｏｎ）が用いられる。例えば、４ＰＰＭでは、一定時間長の１シンボルで２ビットが表現される（図４参照）。これにより、一定時間長内のハイ区間とロー区間との比が一定になるため、出力電流の平均値は信号に拠らず一定となる。
【００２８】
［信号生成回路の構成］
図５は、信号生成回路１１３の一例を示す図である。図５に示す信号生成回路１１３は、調光信号に基づき制御信号ＶＳのハイレベルの電圧値ＶＳＨを変更する。この信号生成回路１１３は、調光制御回路１２１と、可視光通信信号生成回路１２２と、トランジスタＱ２と、可変電圧源Ｅ１と、抵抗Ｒ２、Ｒ３及びＲ４とを備える。
【００２９】
調光制御回路１２１は、調光信号に応じて、可変電圧源Ｅ１を制御することで、電圧ＶＳＨを調整する。ここで、調光信号とは、従来の照明器具から用いられている調光制御を行うための信号であり、例えば、ＰＷＭ信号、ＤＡＬＩ（Ｄｉｇｉｔａｌ  Ａｄｄｒｅｓｓａｂｌｅ  Ｌｉｇｈｔｉｎｇ  Ｉｎｔｅｒｆａｃｅ）の信号、又は位相制御用の信号などである。
【００３０】
可視光通信信号生成回路１２２は，可視光通信信号ＶＣを生成する。
【００３１】
可視光通信信号ＶＣがハイレベルの場合、トランジスタＱ２はオフ状態になり、ＶＳ＝ＶＳＨとなる。一方、可視光通信信号ＶＣがローレベルの場合、トランジスタＱ２はオン状態になり，ＶＳ＝０（ＧＮＤ）となる。
【００３２】
また、上述したように、ＩＤ＝ＶＳ／ＲＳの関係が成り立つ。よって、調光信号に応じてＶＳＨが変わり、これにより電流ＩＤを変化させることができる。つまり、調光信号に応じた明るさの制御を実現できる。
【００３３】
なお、ここでは調光信号に応じた調光制御を行う例を述べたが、調光制御は行われなくてもよい。つまり、定電流指令信号及び電圧ＶＳＨは固定値であってもよい。
【００３４】
また、点灯装置１０１に調光を行うか否かを設定するための信号線を設けてもよい。この信号線が電源線の一線に接続された場合に、調光信号が生成され段階的な調光が行われる。また、信号線が電源線の一線に接続されない場合には、調光は行われず、常に最大の明るさで点灯が行われる。なお、信号線の接続の有無と、選択されるモードとの関係は逆であってもよい。
【００３５】
［直流電源回路の構成］
図６は、直流電源回路１１１にフライバック回路を用いた場合の構成例を示す図である。図６に示すように直流電源回路１１１は、ＡＣ／ＤＣコンバータ１３１と、フィードバック回路１３２と、フォトカプラ１３３と、ＡＣ／ＤＣコンバータ制御回路１３４とを備える。また、直流電源回路１１１は、壁スイッチ等のスイッチ１０４を介して、商用電源１０３に接続されている。
【００３６】
ＡＣ／ＤＣコンバータ１３１は、商用電源１０３から供給される交流電力を直流電力に変換する。
【００３７】
ＡＣ／ＤＣコンバータ制御回路１３４は、電圧Ｖ２が一定になるようにＡＣ／ＤＣコンバータ１３１の一次側のスイッチング素子を制御する。なお、ここで一定とは、所定期間ごとの平均電流を一定にすることであり、上述した電流制御回路１１２による定電流制御とは時定数が異なる。
【００３８】
フィードバック回路１３２は、直流電源回路１１１の出力電圧Ｖ１が略一定になるようにＡＣ／ＤＣコンバータ制御回路１３４に二次側の電圧Ｖ２をフィードバックするための回路である。フィードバック回路１３２は、フォトカプラ１３３を介して、電圧Ｖ２に応じた信号をＡＣ／ＤＣコンバータ制御回路１３４に送る。
【００３９】
上記構成により、直流電源回路１１１は、発光素子１０２と電流制御素子Ｑ１との接続点の電圧Ｖ２（第２電圧）が一定値になるように電圧Ｖ１（第１電圧）を出力する。これにより、広い負荷の順方向電圧に対応しつつも、電流制御素子Ｑ１の損失を最小限に抑えることができる。ここで、負荷電圧（順方向電圧）は一定なので、電圧Ｖ２が一定であれば電圧Ｖ１も一定になる。
【００４０】
特に、２５Ｗ以上の入力電力が用いられる場合は、力率改善（ＰＦＣ）制御を行うことで高調波電流規制に対応することが望ましい。例えば、１００Ｖ〜２４２Ｖ等の広い入力電圧に対応したＡＣ／ＤＣコンバータの設計に上記回路を用いることができる。
【００４１】
［動作波形］
図７は、各信号の動作波形を示す図である。電圧Ｖ１は、商用電源１０３の交流信号の２倍の周波数成分を有する脈流電圧を含む。また、電圧Ｖ２にも同様に脈流電圧が含まれる。ここで、この脈流電圧は、ＭＯＳトランジスタである電流制御素子Ｑ１のドレイン電圧に吸収されるため、電流ＩＤに脈流電流が含まれることを抑制できる。これにより、光チラツキ及びビデオフリッカを抑制することができる。また、十分高い周波数（例えば１ｋＨｚ以上）で可視光通信信号を変調することで、光チラツキは人の目には感知できなくなる。
【００４２】
なお、上記のように脈流電圧を吸収するためには、電流制御素子Ｑ１が導通しているときの電圧Ｖ２は、電圧Ｖ１及びＶ２の脈流電圧の振幅ΔＶよりも大きい必要がある。つまり、直流電源回路１１１は、電圧Ｖ２が電圧Ｖ１に含まれる脈流電圧の振幅ΔＶより大きくなる電圧Ｖ１を出力する。
【００４３】
［直流電源回路の変形例］
なお、直流電源回路１１１の構成は上記に限定されない。また、直流電源回路１１１にスイッチングコンバータを用いなくてもよい。例えば、図８に示す直流電源回路１１１Ａのように、全波整流回路とコンデンサによる平滑回路とを組み合わせた回路が用いられてもよい。図８に示す回路では、部品点数を少なくすることができるため、低コスト化を実現できる。
【００４４】
また、平滑コンデンサＣＳのリプル電圧を含んだ電圧より低い順方向電圧を有する発光素子１０２を用いることで電流ＩＤがリプル振幅を含まないようにできる。これにより、光チラツキ及びビデオフリッカを抑制できる。
【００４５】
また、回路の主な損失は、電圧Ｖ１と順方向電圧ＶＦとの差によって発生する定電流回路の損失である。よって、電圧Ｖ１に近い順方向電圧ＶＦを有する発光素子１０２を用いることで損失が低減される。
【００４６】
（実施の形態２）
本実施の形態では、上記実施の形態１に係る点灯装置１０１の変形例について説明する。図９は、本実施の形態に係る点灯装置１０１Ａの構成を示す図である。なお、以下では、実施の形態１との相違点を主に説明する。
【００４７】
図９に示す点灯装置１０１Ａは、電流制御回路１１２Ａの構成が電流制御回路１１２と異なる。電流制御回路１１２Ａは、さらに、抵抗Ｒ５、Ｒ６及びＲ７と、トランジスタＱ３とを備える。
【００４８】
また、電流制御回路１１２Ａには、制御信号ＶＳの代わりに、可視光通信信号生成回路１２２で生成された可視光通信信号ＶＣが供給される。
【００４９】
抵抗Ｒ５及びＲ６は、抵抗分圧により、定電流指令信号Ｖｒｅｆを生成する。ここで、定電流指令信号Ｖｒｅｆは、実施の形態１における電圧ＶＳＨに相当し、発光素子１０２に流れる定電流の値に対応する信号である。
【００５０】
増幅器Ｕ１は、抵抗ＲＳによって検出された電流信号Ｖ３に可視光通信信号ＶＣが重畳された信号Ｖ４と、定電流指令信号Ｖｒｅｆとの差を増幅する。具体的には、トランジスタＱ３のベース端子には、抵抗Ｒ７を介して可視光通信信号ＶＣが供給される。また、トランジスタＱ３のコレクタ端子は、増幅器Ｕ１の反転入力端子に接続されている。また、増幅器Ｕ１の非反転入力端子には、定電流指令信号Ｖｒｅｆが供給される。
【００５１】
この構成により、可視光通信信号ＶＣがハイレベルの場合、トランジスタＱ３はオフ状態になる。これにより、増幅器Ｕ１の反転入力端子には電流信号Ｖ３がそのまま入力される。これにより、定電流指令信号Ｖｒｅｆに応じた定電流制御が行われる。
【００５２】
一方、可視光通信信号ＶＣがローレベルの場合、トランジスタＱ３がオン状態になることで、増幅器Ｕ１の反転入力端子は、定電流指令信号Ｖｒｅｆより高いハイレベルの電圧に固定される。これにより、増幅器Ｕ１の出力信号はローレベルに固定され、トランジスタＱ３はオフ状態になる。
【００５３】
つまり、本構成においても、実施の形態１と同様の動作及び効果を実現できる。また、定電流指令信号Ｖｒｅｆには精度又は安定度が高い基準電圧回路を利用してもよい。これにより、出力電流のバラツキ抑制又は安定度の向上を実現できる。
【００５４】
なお、図９では、定電流指令信号Ｖｒｅｆが固定値である例を示しているが、実施の形態１で説明したように、調光信号に応じて定電流指令信号Ｖｒｅｆが変更されてもよい。
【００５５】
（実施の形態３）
本実施の形態では、実施の形態１又は実施の形態２で説明した点灯装置１０１又は１０１Ａを備える照明器具１００及び看板１５０について説明する。
【００５６】
［照明器具の一例］
図１０は、上記実施の形態で説明した照明器具１００の外観図である。図１０は、照明器具１００をダウンライトに適用した例を示す。この照明器具１００は、回路ボックス１１、灯体１２及び配線１３を備える。
【００５７】
回路ボックス１１には、上記の点灯装置１０１が格納され、灯体１２には、ＬＥＤ（発光素子１０２）が装着される。また、配線１３は、回路ボックス１１と灯体１２とを電気的に接続する配線である。
【００５８】
なお、照明器具１００は、図１１に示すスポットライト等の他の照明器具に適用してもよい。
【００５９】
［看板の一例］
図１２は、上記実施の形態で説明した点灯装置１０１及び発光素子１０２を備える看板１５０の外観図である。例えば、点灯装置１０１は、図１２に示すように、商業施設又は店舗で用いられる看板１５０に用いられる。なお、点灯装置１０１が用いられ看板１５０の種別はこれに限らない。例えば、看板１５０は、駅等で用いられる駅名標、案内板、又は広告用の看板等であってもよい。
【００６０】
［その他の変形例］
上記で示したスイッチング素子の種別は一例であり、これに限らない例えば、スイッチング素子はＭＯＳトランジスタ、バイポーラトランジスタ、ＩＧＢＴ（Ｉｎｓｕｌａｔｅｄ  Ｇａｔｅ  Ｂｉｐｏｌａｒ  Ｔｒａｎｓｉｓｔｏｒ）又はリレーなどであってもよい。
【００６１】
また、上記実施の形態に係る照明器具又は点灯装置に含まれる処理部の少なくとも一部は典型的には集積回路であるＬＳＩとして実現される。これらは個別に１チップ化されてもよいし、一部又は全てを含むように１チップ化されてもよい。
【００６２】
また、上記回路図に示す回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、又は容量素子等の素子を接続したものも本発明に含まれる。言い換えると、上記実施の形態における「接続される」とは、２つの端子（ノード）が直接接続される場合に限定されるものではなく、同様の機能が実現できる範囲において、当該２つの端子（ノード）が、素子を介して接続される場合も含む。
【００６３】
また、ハイ／ローにより表される論理レベル又はオン／オフにより表されるスイッチング状態は、本発明を具体的に説明するために例示するものであり、例示された論理レベル又はスイッチング状態の異なる組み合わせにより、同等な結果を得ることも可能である。さらに、上で示した論理回路の構成は本発明を具体的に説明するために例示するものであり、異なる構成の論理回路により同等の入出力関係を実現することも可能である。
【００６４】
以上、一つまたは複数の態様に係る点灯装置及び照明器具について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００６５】
１００  照明器具
１０１、１０１Ａ  点灯装置
１０２  発光素子
１１１  直流電源回路
１１２、１１２Ａ  電流制御回路
１１３  信号生成回路
１５０  看板
Ｑ１  電流制御素子
ＲＳ  抵抗（電流検出素子）
Ｕ１  増幅器
【図１】
2018125104.tif 000003
【図２】
2018125104.tif 000004
【図３】
2018125104.tif 000005
【図４】
2018125104.tif 000006
【図５】
2018125104.tif 000007
【図６】
2018125104.tif 000008
【図７】
2018125104.tif 000009
【図８】
2018125104.tif 000010
【図９】
2018125104.tif 000011
【図１０】
2018125104.tif 000012
【図１１】
2018125104.tif 000013
【図１２】
2018125104.tif 000014